(57)【要約】【課題】帯電ローラの表面に付着した外添剤やトナーを効果的にクリーニングし、長期間に渡って帯電安定性および均一性が確保できる帯電装置を提供する。【解決手段】表面に静電潜像を形成する感光体と、前記感光体表面を帯電させるために前記感光体の表面に当接して回動する帯電ローラと、前記帯電ローラに帯電電圧を印加する第１電源と、前記帯電ローラをクリーニングするためのクリーニング電圧を前記帯電ローラに印加する第２電源と、前記静電潜像の形成時に前記帯電電圧を前記帯電ローラに印加し、前記帯電電圧の印加中を除く所定のタイミングで前記クリーニング電圧として交流電圧を前記帯電ローラに印加するように前記第１および第２電源を制御する電圧制御部とを備えることを特徴とする帯電装置。【選択図】図１
2007033816.tif 000002
【特許請求の範囲】
【請求項１】
表面に静電潜像を形成する感光体と、
前記感光体表面を帯電させるために前記感光体の表面に当接して回動する帯電ローラと、
前記帯電ローラに帯電電圧を印加する第１電源と、
前記帯電ローラをクリーニングするためのクリーニング電圧として交流電圧を前記帯電ローラに印加する第２電源と、
前記静電潜像の形成時に前記帯電電圧を前記帯電ローラに印加し、前記帯電電圧の印加中を除く所定のタイミングで前記クリーニング電圧を前記帯電ローラに印加するように前記第１および第２電源を制御する電圧制御部とを備えることを特徴とする帯電装置。
【請求項２】
前記帯電ローラ表面に圧接されて前記帯電ローラの表面をクリーニングするローラ・クリーニングブレードをさらに備える請求項１記載の帯電装置。
【請求項３】
前記ローラ・クリーニングブレードが、帯電ローラの表面と離接可能に配置され、
前記ローラ・クリーニングブレードを駆動して離接させるブレード駆動部と、
前記ブレード駆動部の離接動作を制御する離接制御部とをさらに備える請求項２記載の帯電装置。
【請求項４】
前記離接制御部が、前記帯電ローラが停止しているときに前記ローラ・クリーニングブレードを前記帯電ローラの表面から離すように制御する請求項３記載の帯電装置。
【請求項５】
前記ローラ・クリーニングブレードが、前記帯電ローラ表面への圧接方向に５０〜２００μｍの厚さを有し、
マイクロゴム硬度計による硬度の測定値が５〜６０である請求項２記載の帯電装置。
【請求項６】
前記感光体が円筒状の形状を有し、その中心軸が水平方向に配置され、
前記帯電ローラが、前記中心軸を含む水平面より下側で前記感光体表面に当接する請求項１記載の帯電装置。
【請求項７】
前記クリーニング電圧が、
正負のピーク電圧間の絶対値が１００Ｖ〜１１００Ｖであり、
周波数が１００〜２０００Ｈｚである請求項１記載の帯電装置。
【請求項８】
請求項１〜７の何れか一つに記載の帯電装置を備えてなる電子写真方式の画像形成装置。
【発明の詳細な説明】
【技術分野】
【０００１】
この発明は、帯電装置およびそれを備えてなる電子写真方式の画像形成装置に関する。
【背景技術】
【０００２】
近年、環境や健康に対する意識の高まりを背景に、電子写真方式の画像形成装置におけるオゾンレス化が重視されつつある。これに応えるために、接触帯電ローラ方式による帯電システムを用いた画像形成装置が市場に導入されつつある。特に、近年、高速機に対応するため、多量の画像形成を行った後でも帯電安定性・均一性が確保できる帯電装置が望まれている。
【０００３】
しかし、クリーニング後の感光体表面には、微小なトナーや外添剤等が残っており、これらが帯電ローラに付着して帯電の均一性を損なったり、感光体の傷を誘発したりすることがある。ここで、外添剤とは、流動性保持やトナー同士のブロッキング防止などの目的でトナーに付加されたＳｉＯ2（シリカ）やＴｉＯ2等からなる微小粒子のことをいう。外添剤の粒径は、10ｎｍ程度と非常に小さく、感光体表面への付着力が大きい。このため、感光体や帯電ローラの寿命を低下させ、ロングライフ化を妨げる原因になっている。
【０００４】
そこで、帯電ローラを用いる帯電装置において、非画像形成時に外添剤の帯電極性と同極性のバイアスを帯電ローラに印加して外添剤を感光体に戻すことによってクリーニングを行うものが知られている（例えば、特許文献１参照）。あるいは、帯電ローラに付着したトナーを機械的に除去するために、クリーニングローラとクリーニングブレードを設けるものが知られている（例えば、特許文献２参照）。さらに、回転ブラシを用いた帯電/クリーニング装置において、ＡＣ電圧を印加して感光体上のトナーを除去するものが知られている（例えば、特許文献３）
【特許文献１】特開平１１−５２６８０号公報
【特許文献２】特開平６−１４９０１２号公報
【特許文献３】特開平４−１４２５６６号公報
【発明の開示】
【発明が解決しようとする課題】
【０００５】
しかし、非画像形成時に外添剤の帯電極性と同極性のバイアスを帯電ローラに印加して外添剤を感光体に戻すようにしても、逆帯電の外添剤は感光体に戻すことはできない。また、帯電ローラに付着したトナーを機械的に除去するようにクリーニングローラやクリーニングブレードを設けても、逆帯電のトナーや外添剤はクリーニングしきれない。さらに、回転ブラシを用いた帯電/クリーニング装置において、ＡＣ電圧を印加して感光体上のトナーを除去するようにした場合、回転ブラシでは構造的に感光体に傷をつけてしまう。また、ブラシにトナーが入り込むなどの理由から、トナーを感光体側に戻す効果が必ずしも得られるとは限らない。
【０００６】
この発明は、前述したような事情を考慮してなされたもので、帯電ローラの表面に付着した外添剤やトナーを効果的にクリーニングし、長期間に渡って帯電安定性および均一性が確保できる帯電装置を提供するものである。
【課題を解決するための手段】
【０００７】
この発明は、表面に静電潜像を形成する感光体と、前記感光体表面を帯電させるために前記感光体の表面に当接して回動する帯電ローラと、前記帯電ローラに帯電電圧を印加する第１電源と、前記帯電ローラをクリーニングするためのクリーニング電圧として交流電圧を前記帯電ローラに印加する第２電源と、前記静電潜像の形成時に前記帯電電圧を前記帯電ローラに印加し、前記帯電電圧の印加中を除く所定のタイミングで前記クリーニング電圧を前記帯電ローラに印加するように前記第１および第２電源を制御する電圧制御部とを備えることを特徴とする帯電装置を提供する。
【発明の効果】
【０００８】
この発明の帯電装置は、前記帯電ローラをクリーニングするためのクリーニング電圧として交流電圧を前記帯電ローラに印加する第２電源を備えるので、一旦帯電ローラの表面に付着するとその付着力が大きいために機械的な除去がむずかしい外添剤などの微小な粒子も、交流電圧の印加によって感光体に戻りやすくすることができる。この効果は、次のようにして得られるものと考えられる。帯電ローラに付着した外添剤などその粒子径が小さいために、静電気力に対してそれが付着する感光体もしくは帯電ローラとのファンデルワールス力（付着力）の影響が大きい。
【０００９】
ここで、外添剤の粒径の一例は１０ナノメートル程度、帯電ローラの表面粗さの一例は、Ｒｚ＝５マイクロメートルであり、感光体の表面粗さの一例は、Ｒｚ＝０．１マイクロメートルである。感光体の方が帯電ローラよりも表面が滑らであるので、感光体への付着力が帯電ローラへの付着力よりも強い。しかし、一旦帯電ローラに付着した微小な粒子は、帯電ローラに対する付着力が大きく、帯電ローラから感光体へ電気的な吸引力を与えるように帯電ローラに直流電圧を印加しても、簡単に感光体側へ移動することがない。
【００１０】
ところが、帯電ローラに交流電圧を印加すると、帯電ローラ表面と感光体表面との間に＋、−の電位差が交互に生じる。これによって、マイナスあるいはプラスに帯電した外添剤には粒子を振動させるような電気的吸引力が働く。この振動的な力のために、直流電圧を印加する場合に比べて粒子が付着力に打ち勝って感光体側に移りやすくなる。
【００１１】
一旦感光体側に付着すると、帯電ローラへの付着力よりも強い感光体への付着力が働くので、感光体表面に付着した粒子は帯電ローラ側に戻りにくい。さらに、帯電ローラ側から感光体側に戻った外添剤などの微小な粒子は、交流電圧の印加によってその帯電量が減衰しており、現像装置の磁気ブラシで回収されやすい。従って、帯電ローラに交流のクリーニング電圧を印加することによって、帯電ローラを効果的にクリーニングすることができる。
ここで、感光体は、有機感光体であってもよいがこれに限定されるものではない。
【００１２】
あるいは、この発明の帯電装置は、次の効果を有する。外添剤は基本的にマイナス帯電のものが多いが、逆極性（プラス帯電）のものも含まれる。この発明は、前記クリーニング電圧が交流電圧であるので、逆極性であっても帯電した外添剤に対して振動的な電気的吸引力が働き、これによって外添剤を感光体に戻すことができる。従って、その帯電極性にかかわらず外添剤を効果的にクリーニングすることができる。外添剤に係らず、逆極性に帯電した微小な粒子に対しては、同様の効果がある。引いては、帯電ローラや感光体の長寿命化を実現することができる。
【００１３】
前記帯電ローラ表面に圧接されて前記帯電ローラの表面をクリーニングするローラ・クリーニングブレードをさらに備えていてもよい。このようにすれば、交流のクリーニング電圧を印加することによって、外添剤などの微小な粒子のほとんどが感光体側へ戻るが、帯電ローラ表面に残った若干の粒子も、前記クリーニング電圧によって帯電ローラへの静電気的な吸引力が弱められた状態にある。また、クリーニング電圧の印加によって帯電ローラ表面およびその近傍の空気の振動が発生し、帯電ローラへの粒子の付着力がさらに小さくなっているものと思われる。微小粒子がこのような状態にあるときに、ローラ・クリーニングブレードによって帯電ローラ表面に残った微小粒子を機械的に除去することは容易である。従って、帯電ローラや感光体の長寿命化を実現することができる。
【００１４】
前記ローラ・クリーニングブレードが、帯電ローラの表面と離接可能に配置され、前記ローラ・クリーニングブレードを駆動して離接させるブレード駆動部と、前記ブレード駆動部の離接動作を制御する離接制御部とをさらに備えていてもよい。
【００１５】
さらに、前記離接制御部が、前記帯電ローラが停止しているときに前記ローラ・クリーニングブレードを前記帯電ローラの表面から離すように制御してもよい。このようにすれば、クリーニングブレードの圧接による帯電ローラ表面の変形が抑制されるので、帯電ローラのさらなる長寿命化を実現することができる。
【００１６】
前記ローラ・クリーニングブレードが、前記帯電ローラ表面への圧接方向に５０〜２００μｍの厚さを有し、マイクロゴム硬度計による硬度の測定値が５〜６０であってもよい。このようにすれば、ブレードを小さな押圧力で圧接させるだけで効果的にクリーニングができるので、帯電ローラを劣化させることがない。ブレードの材質としては、ウレタンゴム、ナイロン、ポリエステルなどを用いることができる。
【００１７】
前記感光体が円筒状の形状を有し、その中心軸が水平方向に配置され、前記帯電ローラが、前記中心軸を含む水平面より下側で前記感光体表面に当接するようにしてもよい。このようにすれば、ローラ・クリーニングブレードを配置するスペースを確保する設計的な自由度が広くなる。外添剤などの微小な粒子がローラ・クリーニングブレードから感光体表面へ落下したり飛散することによって感光体表面や機内が汚れたりすることがない。
【００１８】
前記クリーニング電圧が、正負のピーク電圧間の絶対値が１００Ｖ〜１１００Ｖであり、周波数が１００〜２０００Ｈｚであってもよい。
また、この発明は、前述の帯電装置を備えてなる電子写真方式の画像形成装置を提供する。
【発明を実施するための最良の形態】
【００１９】
以下、図面を用いてこの発明をさらに詳述する。以下の説明により、この発明をよりよく理解することが可能であろう。なお、以下の説明は、すべての点で例示であって、制限的なものではないと考えられるべきである。
【００２０】
図１は、この発明の帯電装置の構成の例を示す説明図である。図１で、感光体１３は、電子写真プロセスによって画像を形成するためのものであり、円筒状の形状を有している。感光体１３は、矢印Ａの方向に所定の速度で回転する。帯電ローラ１は、感光体１３の表面に当接して矢印Ｂの方向に感光体と略等速度で回転するローラである。帯電ローラ１は、導電性支持体としての軸部１ａを基体としてその外周面上に弾性層１ｂが形成され、この弾性層１ｂ上に抵抗層１ｃが形成されている。軸部１ａには、鉄、銅、ステンレス、アルミニウム、ニッケル等の金属材料の丸棒を用いることができる。さらに、防錆や耐傷性付与のために、これらの金属表面にメッキ処理を施してもよい。ただし、導電性を損なわないことが必要である。
弾性層１ｂは、ゴム等の弾性材料中に、カーボンブラック、グラファイト、導電性金属酸化物等の電子電導機構を有する導電剤、あるいはアルカリ金属塩や四級アンモニウム塩等のイオン電導機構を有する導電剤を適宜添加することによって形成される。
そして、体積抵抗が１０10Ωｃｍ未満の導電性を示すように調整されるのがよい。弾性層１ｂの弾性材料としては、例えば、天然ゴムや、エチレンプロピレンゴム（ＥＰＤＭ）、スチレンブタジエンゴム（ＳＢＲ）、シリコンゴム、ウレタンゴム、エピクロルヒドリンゴム、イソプレンゴム（ＩＲ）、ブタジエンゴム（ＢＲ）、ニトリルブタジエンゴム（ＮＢＲ）およびクロロプレンゴム（ＣＲ）等の合成ゴム、さらには、ポリアミド樹脂、ポリウレタン樹脂、シリコン樹脂等も挙げられる。
【００２１】
抵抗層１ｃは、弾性層１ｂに接して形成され、弾性層１ｂ中に含有される軟化油や可塑剤等の帯電ローラ１表面へのブリードアウト（滲み出し）を防止するとともに、帯電ローラ２全体の電気抵抗を調整するために設けられる。
【００２２】
抵抗層１ｃを形成する材料としては、例えば、エピクロルヒドリンゴム、ＮＢＲ、ポリオレフィン系熱可塑性エラストマー、ウレタン系熱可塑性エラストマー、ポリスチレン系熱可塑性エラストマー、フッ素ゴム系熱可塑性エラストマー、ポリエステル系熱可塑性エラストマー、ポリアミド系熱可塑性エラストマー、ポリブタジエン系熱可塑性エラストマー、エチレン酢酸ビニル系熱可塑性エラストマー、ポリ塩化ビニル系熱可塑性エラストマー、塩素化ポリエチレン系熱可塑性エラストマー等を挙げることができる。これらの材料は、単独で用いても、２種類以上の混合であっても、あるいは共重合体であってもよい。
【００２３】
抵抗層１ｃは、導電性または半導電性を有している必要がある。このため、上述した材料に、電子電導機構を有する導電剤（導電性カーボン、グラファイト、導電性金属酸化物、銅、アルミニウム、ニッケル、鉄粉等）、あるいはイオン電導機構を有する導電剤（アルカリ金属塩、アンモニウム塩等）を適宜添加することによって形成される。この場合、所望の電気抵抗を得るために、上記各種導電剤を２種以上併用してもよい。ただし、環境変動や感光体１の汚染を考慮すると、電子電導機構を有する導電剤を用いることが好ましい。
【００２４】
図１に示すように、帯電ローラ１は、感光体１３の中心軸を含む水平面より下側で感光体１３の表面に接触している。
【００２５】
ＤＣ電源５は、帯電ローラの軸部１ａに直流の帯電電圧を印加するための電源である。また、ＡＣ電源３は、帯電ローラの軸部１ａに交流のクリーニング電圧を印加するための電源である。スイッチ７は、軸部１ａへ印加される電圧源をＡＣ電源３とＤＣ電源５との間で切り替えるためのスイッチであり、例えば、高圧リレーなどの機械的な接点を有するスイッチで構成することができる。スイッチの切替は電圧制御部８によって制御される。
電圧制御部８は、たとえば、マイクロコンピュータとマイクロコンピュータが実行する制御プログラムを格納するＲＯＭ、ワークエリアを提供するＲＡＭ、入出力回路で構成することができる。また、電圧制御部８は、ＤＣ電源５、ＡＣ電源３の各電源電圧のオン・オフを制御する。従って、例えば、スイッチ７がＡＣ電源３と軸部１ａとを接続する状態にあったとしても、ＡＣ電源３がオフしていれば、軸部１ａにはクリーニング電圧は印加されない。ＤＣ電源５およびＡＣ電源３の出力電圧値は、調整ボリュームで外部から調整された所定の電圧を発声するものであってもよいが、電圧制御部８からの制御信号に応じて、出力電圧の大きさを変えるように構成されていてもよい。
【００２６】
印加電圧制御８の前記マイクロコンピュータは、前述したＡＣ電源３、ＤＣ電源５およびスイッチ７の制御のみを行うものであってもよいが、その他の制御、例えば感光体１３の表面に画像を形成する電子写真プロセスの制御と兼用してもよい。
帯電ローラ１の表面には、ローラ・クリーニングブレード９が設けられ、帯電ローラ１の表面をクリーニングできるように配置されている。ローラ・クリーニングブレード９は、帯電ローラ１の表面と離接可能に構成されている。回収部１１は、ローラ・クリーニングブレード９によってクリーニングされた外添剤やトナーなどの微小粒子を収容する容器である。
【００２７】
感光体１３の周囲には、帯電ローラ１のほかに露光部１５、現像部１７、転写ベルト１９、除電ランプ２０、クリーナー２１が配置されている。これらの各部は、感光体１３の表面に電子写真プロセスによって画像を形成するためのものである。以下に、画像形成のプロセスの概略を説明する。回動する感光体１３の表面は、帯電ローラ１によって一様に帯電される。このとき、帯電ローラ１の軸部１ａは、スイッチ７を介してＤＣ電源５に接続され、ＤＣ電源５からの帯電電圧が印加される。
【００２８】
帯電された感光体１３の表面は、次に露光部１５を通過するとき、形成する画像の濃淡に応じてその表面が露光される。露光は、例えば、画素に対応してオン・オフレーザー光をポリゴンミラーで偏向させて照射するレーザー走査ユニットを用いることができる。あるいは、画素のピッチに対応してアレイ状に配置されたＬＥＤヘッドを用いることもできる。
【００２９】
感光体１は、露光部１５を通過して露光されることにより、その表面に画像の濃淡に応じた電位分布である静電潜像が形成される。そして、現像部１７を通過する際に電位分布に応じた量の帯電トナーが表面に付着する。現像部１７は、周知の磁気ブラシ現像方式によって現像される。
【００３０】
現像部１７を通過して表面にトナーを担持した感光体１３は、次に転写ベルト１９と当接する。転写ベルト１９の背面には転写ローラ１８が配置されており、感光体１３の表面に付着した帯電トナーを電気的に吸引する極性の電圧が印加される。これによって、感光体１３表面の帯電トナーは転写ベルト１９側に転写される。転写ベルト１９条に転写されたトナーは、その後、図示しない用紙送り機構によって搬送され、転写ベルト１９と当接する用紙上に転写される。一方、転写ベルト１９にトナーを転写した後の感光体１３は、除電ランプ２０によってその表面に光が照射されて全面が除電される。そして、クリーナー２１を通過して表面に残ったトナーが回収される。
その後、帯電ローラ１を通過して、再び電子写真プロセスが繰り返される。
【００３１】
図２は、図１の帯電ローラ１に対してローラ・クリーニングブレード９を離接する機構の概要を示す説明図である。図２に示すように、ローラ・クリーニングブレード９は、支点Ｐを中心に回動するように取り付けられており、図示しないスプリングによって当接部が帯電ローラ１から離れる方向に力が加えられている。ソレノイド１２は、離接制御部１４によってコイルへの通電が制御される。ソレノイド１２のアクチュエータは、リンク材１６を介してローラ・クリーニングブレード９に接続されており、離接制御部１４が、ソレノイド１２のコイルに通電すると、アクチュエータがソレノイド１２に引き込まれ、リンク材１６の先に接続されたローラ・クリーニングブレード９が帯電ローラ１に圧接する。離接制御部１４は、帯電ローラ１が回転しているときにはソレノイド１２をオンしてローラ・クリーニングブレード９を帯電ローラ１に圧接させて帯電ローラ１の表面をクリーニングさせ、帯電ローラ１が停止しているときはソレノイド１２をオフして帯電ローラ１の表面からローラ・クリーニングブレード９を離す。離接制御部１４は、電圧制御部８の前記マイクロコンピュータが離接制御のプログラムを実行することによって実現されてもよい。また、離接制御部１４は、前述の電子写真プロセスに係る各部の動作を制御する制御部から、感光体１３の回転／停止の情報を取得する。帯電ローラ１は、感光体１３の回転／停止に従って回動する。従って、感光体１３の回転／停止の情報を取得することによって、帯電ローラ１の回動／停止のタイミングがわかり、帯電ローラ１の回動／停止に応じてローラ・クリーニングブレード９の離接を制御することができる。
【００３２】
（実験例１）
図１に示す帯電装置を用いて、クリーニング電圧の好適な出力電圧および周波数の範囲を検討した。実験は、画像形成装置を用いて実際にコピー動作を行って画像を形成し、シングルコピーを出力するごとに１秒間クリーニング電圧を帯電ローラ１に印加した。そして、５０００枚のシングルコピーを繰り返した後に、帯電ローラ表面の汚れを目視で観察し、さらにコピー画像を目視で観察して評価した。評価は、帯電ローラ１に各電圧、周波数のクリーニング電圧を印加した場合の効果の程度を、全くクリーニング電圧を印加しない場合と比較して３段階に分類することによって行った。評価の基準は、以下のようなものである。
【００３３】
実験に用いた帯電ローラは導電性支持体１ａのステンレス製Φ８シャフト上にＮＢＲにカーボンブラックとアルカリ金属塩を添加した厚さ３ｍｍの弾性層１ｂ上にナイロンにカーボンブラックを添加し、厚さ２０μｍにコーティングされた抵抗層１ｃから構成される表面粗さＲｚ  ＝５μｍ、１０6ΩｃｍのΦ１４のローラである。また、感光体は厚さ１．５ｍｍのアルミ基体上に下引き層（ＵＣＬ）１μｍ、電荷発生層（ＣＧＬ）０．５μｍ、電荷輸送層（ＣＴＬ）２５μｍから構成されるΦ３０の有機系感光体（ＯＰＣ）である。現像剤は２成分系でキャリアはニッケルマンガンにシリコーンコーティングされた粒径５０μｍのもので、トナーはポリエステルで粒径６．５μｍのマイナス帯電のものであり、本２成分現像剤による磁気ブラシ現像方式を用いた。そして帯電ローラには−１３００Ｖの電圧を印加し、感光体表面電位−６００Ｖが得られた状態で帯電ローラのクリーニングはＡＣ印加のみで評価を行った。
【００３４】
評価結果を次の表１に示す。
【表１】
2007033816.tif 000003
【００３５】
ここで、Vppは、ＡＣ電圧の正負のピーク電圧の差の絶対値である。実験は、Ｖｐｐが８０Ｖ〜１３００Ｖの範囲、周波数が８０Ｈｚ〜２２００Ｈｚの範囲でおこなった。表１に示すように、好適なクリーニング電圧の条件は、Ｖｐｐが８０〜１２００Ｖかつ周波数が１００〜２０００Ｈｚの範囲で効果が認められ、好適な範囲はＶｐｐが１００〜１０００Ｖかつ周波数が１００〜２０００Ｈｚの範囲である。しかし、帯電ローラと感光体との電位差が−５５０〜−６００Ｖ程度よりも大きくなると空中放電が始まる。従って、放電による感光体表面あるいは帯電ローラ表面のダメージを考慮すると、より好適な範囲はＶｐｐが１００〜１０００Ｖかつ周波数が１００〜２０００Ｈｚの範囲である。
【００３６】
（実験例２）
次に、ローラ・クリーニングブレード９の好適な条件について検討した。実験は、画像形成装置に図２に示す帯電ローラのクリーニング機構を付加した装置を用いて実際にコピー動作を行って画像を形成し、シングルコピーを出力するごとに１秒間クリーニング電圧を帯電ローラ１に印加した。そして、１００００枚のシングルコピーを繰り返した後に、帯電ローラ表面の汚れを目視で観察し、さらにコピー画像を目視で観察して評価した。評価は、帯電ローラ１に各電圧、周波数のクリーニング電圧を印加した場合の効果の程度を、全くクリーニング電圧を印加しない場合と比較して３段階に分類することによって行った。評価の基準は、以下のようなものである。
帯電ローラのクリーニング電圧の条件はＶｐｐ５００Ｖで１０００Ｈｚとした。
【００３７】
評価結果を次の表２に示す。評価基準は、表１と同様である。
【表２】
2007033816.tif 000004
【００３８】
ここで、マイクロ硬度は、高分子計器株式会社製のマイクロゴム硬度計（製品型名：ＭＤ−１  ｃａｐａ）を用いて硬度の異なるローラ・クリーニングブレード９の材質を測定した値である。また、厚みは、ローラ・クリーニングブレード９が帯電ローラ１に圧接する方向の厚みである。ローラ・クリーニングブレードの材質は、ウレタンゴムである。実験は、硬度が３〜６５、厚みが４０〜２１０μｍの範囲でおこなった。表２に示すように、好適なクリーニング電圧の条件は、硬度３〜６５かつ厚みが５０〜２００μｍの範囲でブレードの付加による効果が認められ、好適な範囲は硬度が５〜６０かつ厚みが５０〜２００μｍの範囲である。
【００３９】
最後に、前述した実施の形態の他にも、この発明について種々の変形例があり得ることは明らかである。そのような変形例は、この発明の特徴及び範囲に属さないと解釈されるべきものではない。本発明の範囲には、特許請求の範囲と均等の意味および範囲内でのすべての変更とが含まれることが意図される。
【図面の簡単な説明】
【００４０】
【図１】この発明の帯電装置の構成の例を示す説明図である。
【図２】図１の帯電ローラ１に対してローラ・クリーニングブレード９を離接する機構の概要を示す説明図である。
【符号の説明】
【００４１】
１    帯電ローラ
１ａ  軸部
１ｂ  弾性層
１ｃ   抵抗層
３    ＡＣ電源
５    ＤＣ電源
７    スイッチ
８    電圧制御部
９    ローラ・クリーニングブレード
１２    ソレノイド
１３    感光体
１４    離接制御部
１５    露光部
１７    現像部
１９    転写ベルト
２０    除電ランプ
２１    クリーナー
【図１】
2007033816.tif 000005
【図２】
2007033816.tif 000006